【事件の表示】
　特願２０１３−５４２１３５「内視鏡用の使い捨て可能な空気／水弁」拒絶査定不服審判事件〔平成２４年　６月　７日国際公開、ＷＯ２０１２／０７５１３１、平成２５年１２月２６日国内公表、特表２０１３−５４５５５５〕について、次のとおり審決する。
【結　論】
　本件審判の請求は、成り立たない。
【理　由】
第１　手続の経緯
　本願は、２０１１年（平成２３年）１１月３０日（パリ条約による優先権主張　２０１０年１１月３０日　米国）を国際出願日とする出願であって、平成２７年８月２７日付けで拒絶理由が通知され、同年１２月１日付けで意見書及び手続補正書が提出され、平成２８年５月３０日付けで拒絶査定されたところ、同年１０月７日に拒絶査定不服審判の請求がなされ、同時に手続補正がなされた。
　その後当審において平成２９年８月２日付けで拒絶理由が通知され、同年１２月８日付けで意見書及び手続補正書が提出されたものである。
第２　本願発明
　本願請求項１ないし１８に係る発明は、平成２９年１２月８日付け手続補正により補正された特許請求の範囲の請求項１ないし１８に記載の事項により特定される発明であると認める。
　そのうち、請求項６に係る発明（以下、「本願発明」という。）は、分説してA)ないしC)の符号を付けると、以下の事項により特定される発明である。
「【請求項６】
A)　空気／水弁アセンブリであって、
B)　一体型の部品であり近位端を有する主ステムを含み、
B-1)　前記主ステムは、該主ステムと一体になっている該主ステムの周囲に配置される複数の隆起部及び溝を含み、
B-2)　該主ステムは少なくとも２つの隆起部を含んでおり、前記溝の少なくとも１つは前記少なくとも２つの隆起部の間に配置され、該２つの隆起部それぞれは直径を有し、該２つの隆起部のうちの一つの隆起部は他の一つの隆起部よりも大きな直径を有し、
B-3)　前記主ステムは、該主ステムの少なくとも一部を通じて空気及び／又は流体の通過を可能にするように構成される、前記近位端に配置されて前記主ステムの長手方向軸に沿って延びる第１の開口および該第１の開口を横切って配置される第２の開口と、
B-4)　前記複数の溝の少なくとも１つに設けられた少なくとも１つのオーバーモールドされたシールと、
B-5)　前記近位端に設けられたボタンキャップと、前記主ステムの周りに配置される保持リングと、該保持リングの周りに設けられたオーバーモールドされたブートと、
B-6)　該保持リングの内面に接触する弾力性部材と、を備え、
C)　前記保持リングは、ダイヤフラムと、前記主ステムを受け入れる開口と、前記保持リングの開口の半径に沿う切抜きと、を備える、
A)　空気／水弁アセンブリ。」
第３　平成２９年８月２日付け拒絶理由の概要
　当審による平成２９年８月２日付け拒絶理由の概要は、請求項６に係る発明に対する拒絶理由を含むものであって、請求項６に係る発明は、その優先日前に日本国内又は外国において頒布された下記の刊行物に記載された発明又は電気通信回線を通じて公衆に利用可能となった発明に基いて、その優先日前にその発明の属する技術の分野における通常の知識を有する者（以下、「当業者」という。）が容易に発明をすることができたものであるから、特許法第２９条第２項の規定により特許を受けることができないというものを含むものである。
　　　　　　　　　　　　　　　　　記
刊行物１：特開２００２−３０６４０５号公報
第４　刊行物１記載の事項及び引用発明
１　刊行物１記載の事項
　刊行物１には、以下の事項が記載されている。（なお、下線は当審が付した。）
（１）「【特許請求の範囲】
【請求項１】  内視鏡の外表面または内視鏡の内部に配設された流体流路に連通する空間内に設けられた硬質部材と、この硬質部材の表面に付設される軟質部材とからなる組立体を有する内視鏡装置において、
前記硬質部材を硬質の熱可塑性樹脂で形成すると共に、
前記軟質部材を前記硬質部材より軟質な熱可塑性弾性体組成物で形成し、
前記硬質部材と軟質部材の何れか一方を射出成形によって一次成形し、
これをインサート物とするインサート成形によって他方を二次成形することにより、これら部材を一体に形成したことを特徴とする内視鏡装置。」
（２）「【０００３】
【発明が解決しようとする課題】前記従来の内視鏡にあって、内視鏡の外表面又は内部に配設された流体管路に連通する空間内に設けられた、例えば送気・送水ボタンのピストン上部部材、ピストン下部部材、押しボタンのボタン固定部材、スイッチ押圧部材等の硬質部材と、例えばシール部材、シート部材、押しボタンの弾性支持部材等の軟質部材とからなる組立体である、送気・送水ボタンや押しボタン等は、組立費が高価で、製造コストが高くなっていた。」
（３）「【００８６】次に、カバー式内視鏡の操作部に設けられる送気・送水操作を行うための送気・送水操作手段の構成を説明する。図２６は操作部５１に設けられる
送気・送水ボタン５５
【００８７】操作部５１の本体に設けられた
送気・送水シリンダ５２には、送気・送水ボタン５５が着脱自在に嵌挿され
【００８８】
送気・送水ボタン５５は、送気・送水シリンダ５２に嵌挿される略円筒状のピストン部５６を有し
ピストン部５６は、
外周側上方に位置するピストン上部部材５７と内周側下方に位置するピストン下部部材５８とを有し
これらの部材は接着等の手段によって接合され、一体化され
ピストン部５６の内部には、長手軸方向に連通路４７が設けられ
この連通路４７の下端には側方に開口する開口部４８が設けられ
【００８９】ピストン上部部材５７及びピストン下部部材５８は、ポリサルホン、変性ＰＰＯ、ポリフェニレンサルファイド、ポリエーテルイミド、ポリエーテルサルホン、ポリエーテルエーテルケトン等の剛性を有する硬質の熱可塑性樹脂から形成されている。
【００９０】
ピストン上部部材５７の外周には、シール部材６０ａが設けられており、シール部材６０ａより下側のピストン上部部材５７の下端部には、送気・送水シリンダ５２の内径と略同一の外径を有するすべり部材６１ａが設けられ
ピストン下部部材５８の外周には、上から順に逆止弁５９、シール部材６０ｂ、シール部材６０ｃが設けられており、シール部材６０ｂとシール部材６０ｃの間には、送気・送水シリンダ５２の内径と略同一の外径を有するすべり部材６１ｂが設けられ
（４）「【００９５】前記ピストン下部部材５８と逆止弁５９、シール部材６０ｂ、シール部材６０ｃは、インサート成形の一種である二色成形による射出成形によって一体に形成されている。
【００９６】まず、図２７に示すように、雄金型６８と一次雌金型６９とによって形成される一次キャビティ７０に、前述の硬質樹脂を射出して
ピストン下部部材５８
一次成形工程によって射出成形
【００９７】次に、図２８に示すように、二次雌金型７１を雄金型６８にセットする。ここで、雄金型６８、二次雌金型７１及び一次成形されたピストン下部部材５８によって形成される空間が二次キャビティ７２となる。そして、二次キャビティ７２に前述の熱可塑性弾性組成物を射出して逆止弁５９、
シール部材６０ｂ、シール部材６０ｃ
二次成形工程によって射出成形
【００９８】このとき、加熱溶融した熱可塑性弾性体組成物は、それ自身の熱で一次成形されたピストン下部部材５８の接する部分の表面を一部溶かして、両者は混合または凝着して、ピストン下部部材５８との当接部に融着面を形成する。
【００９９】以上説明した二色成形による射出成形の工程によって、ピストン下部部材５８と逆止弁５９、シール部材６０ｂ、シール部材６０ｃとは一体化されて形成され、組み立てが完了する。
【０１００】また、前記ピストン上部部材５７とシール部材６０ａは、ピストン下部部材５８と逆止弁５９、シール部材６０ｂ、シール部材６０ｃとの製造方法と同様にして、ピストン上部部材５７を一次成形する工程と、シール部材６０ａを二次成形する工程とを有する二色成形による射出成形の工程によって、一体化され組み立てられる。
【０１０１】
前記ピストン上部部材５７の上部の外側には、円筒状のピストンストッパ５３が設けられており、ピストン上部部材５７の
フランジ部５４とピストンストッパ５３の内面のストッパ側フランジ部４９とが当接するようになって
【０１０２】
ピストン上部部材５７及びピストン下部部材５８の上端部には、ピストン部５６を上下動させる際に手指をかける指当て部６６がピストン上部部材５７に嵌着して設けられ
【０１０３】
ストッパ側フランジ部４９の上面と指当て部６６の下面との間には、コイルスプリング６２が係入されて設けられ
コイルスプリング６２の付勢力によって、ピストン部５６は上方に、ピストンストッパ５３は下方にそれぞれ付勢され
【０１０４】
ピストンストッパ５３の外周には、弾性部材で形成されたボタン固定部材５０が一体に設けられ、ピストンストッパ５３下部の送気・送水シリンダ５２の開口部には、固定口金６４が設けられ
ボタン固定部材５０の内面の突出部６３と固定口金６４の口金フランジ部４５とが係合している。
【０１０５】前記ピストンストッパ５３は、前記ピストン上部部材５７及びピストン下部部材５８と同様の剛性を有する硬質の熱可塑性樹脂から形成されている。また、
前記ボタン固定部材５０は、
二次成形する
射出成形の工程によって一体化され
（５）図２６
「
」
２　刊行物１に記載された発明の認定
（１）　送気・送水ボタン５５は、送気・送水シリンダ５２に嵌挿され（段落【００８７】）、また、送気・送水ボタン５５は、送気・送水シリンダ５２に嵌挿される略円筒状のピストン部５６を有し（段落【００８８】）、コイルスプリング６２の付勢力によって、ピストン部５６は上方に、ピストンストッパ５３は下方にそれぞれ付勢され（段落【０１０３】）、ピストンストッパ５３の外周には、弾性部材で形成されたボタン固定部材５０が一体に設けられ、ボタン固定部材５０は、送気・送水シリンダ５２の固定口金６４に係合している（段落【０１０４】）ことから、「送気・送水ボタン５５」が、「ピストン部５６」、「コイルスプリング６２」、「ピストンストッパ５３」、及び、「ボタン固定部材５０」により構成されたものであることがわかる。
（２）　上記１（３）の記載、及び、上記１（５）に示した図２６を参酌すると、「ピストン部５６の内部」に設けられた「連通路４７」が、上端開口部を有することが見て取れる。
（３）　上記１（３）の記載、及び、上記１（５）に示した図２６を参酌すると、「ピストン上部部材５７の下端部」の「送気・送水シリンダ５２の内径と略同一の外径を有するすべり部材６１ａ」は、ピストン上部部材５７の下端部に一体的に形成されており、「送気・送水シリンダ５２の内径と略同一の外径を有するすべり部材６１ｂ」は、ピストン下部部材５８に一体的に形成されている点が見て取れ、「すべり部材６１ａ」と「すべり部材６１ｂ」は、いずれも突状で「外径を有する」ものであり、「すべり部材６１ａ」は、「すべり部材６１ｂ」よりも大きな外径を有する点が見て取れる。
（４）　上記１（５）に示した図２６を参酌すると、「ピストン上部部材５７」に形成された「すべり部材６１ａ」の下に、「ピストン下部部材５８」に設けられた「シール部材６０ｂ」が位置する点が見て取れる。また、「ピストン上部部材５７」及び「ピストン下部部材５８」の外周において、「シール部材６０ａ」、「シール部材６０ｂ」及び「シール部材６０ｃ」が設けられた部位には、それぞれ溝が形成され、該溝に、各々のシール部材が設けられた点が見て取れる。
　よって、上記１（１）ないし（５）の記載事項、及び、上記（１）ないし（４）の認定事項を含む刊行物１全体の記載を総合すると、刊行物１には、
「送気・送水シリンダ５２に嵌挿される略円筒状のピストン部５６を有する送気・送水ボタン５５であり、該ピストン部５６は、外周側上方に位置するピストン上部部材５７と内周側下方に位置するピストン下部部材５８とを有し、これらの部材は接着等の手段によって接合され、一体化され、該ピストン部５６の内部には、長手軸方向に、上端開口部を有する連通路４７が設けられ、この連通路４７の下端には側方に開口する開口部４８が設けられ、
　ピストン上部部材５７の外周には、溝が形成され、該溝に、シール部材６０ａが設けられており、シール部材６０ａより下側のピストン上部部材５７の下端部には、送気・送水シリンダ５２の内径と略同一の外径を有する突状のすべり部材６１ａが一体的に形成され、
　ピストン下部部材５８の外周の、ピストン上部部材５７の下端部に形成されたすべり部材６１ａの下には、複数の溝が形成され、それぞれの溝に上から順に逆止弁５９、シール部材６０ｂ、シール部材６０ｃが設けられており、シール部材６０ｂとシール部材６０ｃの間には、送気・送水シリンダ５２の内径と略同一の外径を有する突状のすべり部材６１ｂが一体的に形成され、
　ピストン下部部材５８は、一次成形工程によって射出成形され、シール部材６０ｂ、シール部材６０ｃは、二次成形工程によって射出成形されるものであり、
　すべり部材６１ａの外径は、すべり部材６１ｂの外径よりも大きいものであり、
　前記ピストン上部部材５７の上部の外側には、円筒状のピストンストッパ５３が設けられており、
　ピストン上部部材５７のフランジ部５４とピストンストッパ５３の内面のストッパ側フランジ部４９とが当接するようになっており、
　ピストン上部部材５７及びピストン下部部材５８の上端部には、ピストン部５６を上下動させる際に手指をかける指当て部６６がピストン上部部材５７に嵌着して設けられ、
　ストッパ側フランジ部４９の上面と指当て部６６の下面との間には、コイルスプリング６２が係入されて設けられ、
　ピストンストッパ５３の外周には、弾性部材で形成され、二次成形する射出成形の工程により一体化されたボタン固定部材５０が設けられた、
　送気・送水ボタン５５。」
の発明（以下、「引用発明」という。）が記載されている。
第５　対比
　引用発明と本願発明とを対比する。
１　本願発明のA)の特定事項について
　引用発明は「送気・送水シリンダ５２に嵌挿される略円筒状のピストン部５６」を含む「送気・送水ボタン５５」であるから、引用発明の「送気・送水ボタン５５」は、本願発明の「空気／水弁アセンブリ」に相当する。
２　本願発明のB)の特定事項について
（１）　引用発明の「ピストン部５６」は、「外周側上方に位置するピストン上部部材５７と内周側下方に位置するピストン下部部材５８とを有し、これらの部材は接着等の手段によって接合され、一体化され」たものであるから、引用発明の「ピストン部５６」は、本願発明の「主ステム」に相当する。
（２）　引用発明の「ピストン部５６」の「指当て部６６」が設けられる「上端部」は、「ピストン部５６」に対する操作が行われるものであるから、「ピストン部５６」の「上端部」は、本願発明の「主ステム」の「近位端」に相当する。
（３）　よって、本願発明と引用発明は、「近位端を有する主ステムを含」む点で共通する。
３　本願発明のB-1)の特定事項について
（１）　引用発明の「ピストン部５６」を構成する「ピストン上部部材５７」は、「外周」に「溝が形成され」、「突状のすべり部材６１ａが一体的に形成され」たものであり、また、同じく「ピストン部５６」を構成する「ピストン下部部材５８」は、「外周」に「複数の溝が形成され」、「突状のすべり部材６１ｂが一体的に形成され」たものである。
（２）　引用発明の、「突状のすべり部材６１ａ」と「突状のすべり部材６１ｂ」、「溝」と「複数の溝」は、それぞれ、本願発明の「複数の隆起部」、「溝」に相当する。
（３）　よって、引用発明の「ピストン上部部材５７の外周には、溝が形成され、」「突状のすべり部材６１ａが一体的に形成され、」「ピストン下部部材５８の外周」「には、複数の溝が形成され、」「突状のすべり部材６１ｂが一体的に形成され」たことは、本願発明の「前記主ステムは、該主ステムと一体になっている該主ステムの周囲に配置される複数の隆起部及び溝を含」むことに相当する。
４　本願発明のB-2)の特定事項について
（１）　引用発明の「ピストン上部部材５７」に「突状のすべり部材６１ａが一体的に形成され」、「ピストン下部部材５８」に「突状のすべり部材６１ｂが一体的に形成され」たことは、本願発明の「主ステムは少なくとも２つの隆起部を含んで」いることに相当する。
（２）　引用発明は、「ピストン上部部材５７の下端部に形成されたすべり部材６１ａの下には、」「逆止弁５９、シール部材６０ｂ、シール部材６０ｃが設けられており、」「シール部材６０ｂとシール部材６０ｃの間には、」「すべり部材６１ｂが一体的に形成され」ていることから、「シール部材６０ｂ」は、「すべり部材６１ａ」と「すべり部材６１ｂ」の間に設けられることは明らかである。
（３）　また、引用発明の「シール部材６０ｂ」は、「溝に」「設けられ」たものであることから、引用発明は、「すべり部材６１ａ」と「すべり部材６１ｂ」の間に「シール部材６０ｂ」が「設けられ」る「溝」が形成されたものである。
（４）　そして、引用発明の「すべり部材６１ａ」と「すべり部材６１ｂ」の間に「溝」が形成されたことは、本願発明の「前記溝の少なくとも１つは前記少なくとも２つの隆起部の間に配置され」たことに相当する。
（５）　引用発明の「すべり部材６１ａ」及び「すべり部材６１ｂ」の「外径」は、本願発明の「隆起部」の「直径」に相当し、引用発明の「すべり部材６１ａの外径は、すべり部材６１ｂの外径よりも大きい」ことは、本願発明の「該２つの隆起部のうちの一つの隆起部は他の一つの隆起部よりも大きな直径を有」することに相当する。
（６）　以上のことから、引用発明の「ピストン上部部材５７」に「突状のすべり部材６１ａが一体的に形成され」、「ピストン下部部材５８」に「突状のすべり部材６１ｂが一体的に形成され」、「すべり部材６１ａ」と「すべり部材６１ｂ」の間に「溝」が形成され、「すべり部材６１ａの外径は、すべり部材６１ｂの外径よりも大きい」ことは、本願発明の「該主ステムは少なくとも２つの隆起部を含んでおり、前記溝の少なくとも１つは前記少なくとも２つの隆起部の間に配置され、該２つの隆起部それぞれは直径を有し、該２つの隆起部のうちの一つの隆起部は他の一つの隆起部よりも大きな直径を有」することに相当する。
５　本願発明のB-3)の特定事項について
（１）　引用発明の「ピストン部５６の内部に」「設けられ」た「長手軸方向に」「設けられ」た「上端開口部を有する連通路４７」は、本願発明の「前記近位端に配置されて前記主ステムの長手方向軸に沿って延びる第１の開口」に相当し、引用発明の「この連通路４７の下端」の「側方に開口する開口部４８」は、本願発明の「該第１の開口を横切って配置される第２の開口」に相当する。
（２）　引用発明の「連通路４７」及び「開口部４８」が、空気及び／又は流体の通過を可能とするものであることは、当業者にとって明らかである。
（３）　よって、引用発明の「ピストン部５６の内部には、長手軸方向に連通路４７が設けられ、この連通路４７の下端には側方に開口する開口部４８が設けられ」た点は、本願発明の「前記主ステムは、該主ステムの少なくとも一部を通じて空気及び／又は流体の通過を可能にするように構成される、前記近位端に配置されて前記主ステムの長手方向軸に沿って延びる第１の開口および該第１の開口を横切って配置される第２の開口」を備える点に相当する。　
６　本願発明のB-4)の特定事項について
（１）　引用発明の「シール部材６０ｂ」及び「シール部材６０ｃ」は、「それぞれの溝に」「設けられ」たものであり、「二次成形工程によって射出成形されるものであ」る。
（２）　引用発明の「シール部材６０ｂ」及び「シール部材６０ｃ」、「二次成形工程によって射出成形され」ることは、それぞれ、本願発明の「少なくとも１つのシール」、「オーバーモールドされ」ることに相当する。
（３）　よって、引用発明の、「複数の溝が形成され、それぞれの溝に」「二次成形工程によって射出成形され」て「設けられ」た「シール部材６０ｂ、シール部材６０ｃ」は、本願発明の「前記複数の溝の少なくとも１つに設けられた少なくとも１つのオーバーモールドされたシール」に相当する。
７　本願発明のB-5)の特定事項について
（１）　引用発明の「ピストン上部部材５７及びピストン下部部材５８の上端部」の「指当て部６６」は、本願発明の「前記近位端に設けられたボタンキャップ」に相当する。
（２）　引用発明の「ピストン上部部材５７の上部の外側に」「設けられ」た「円筒状のピストンストッパ５３」は、本願発明の「前記主ステムの周りに配置される保持リング」に相当する。
（３）　引用発明の「ピストンストッパ５３の外周に」「弾性部材で形成され、二次成形する射出成形の工程により一体化されたボタン固定部材５０」は、本願発明の「該保持リングの周りに設けられたオーバーモールドされたブート」に相当する。
８　本願発明のB-6)の特定事項について
（１）　引用発明の「ストッパ側フランジ部４９」は「ピストンストッパ５３の内面」に設けられたものである。
（２）　よって、引用発明の「ストッパ側フランジ部４９の上面」に「係入されて設けられ」る「コイルスプリング６２」は、本願発明の「保持リングの内面に接触する弾力性部材」に相当する。
９　本願発明のC)の特定事項について
（１）　引用発明の「ピストンストッパ５３」は、その内側に「ピストン上部部材５７の上部」が設けられるものであるから、開口を備えることは明らかである。
（２）　引用発明の「ストッパ側フランジ部４９」は、「ピストンストッパ５３の内面」に設けられたものであり、引用発明の「ストッパ側フランジ部４９」と本願発明の「ダイヤフラム」は、ともにフランジ状の部材であるから、引用発明の「ストッパ側フランジ部４９」は、本願発明の「ダイヤフラム」に相当する。
（３）　よって、引用発明と本願発明とは、「保持リングは、」「ダイヤフラムと、前記主ステムを受け入れる開口」「を備える」点で共通する。
　そうすると、本願発明と引用発明は、以下の点で一致する。
＜一致点＞
「A)　空気／水弁アセンブリであって、
B')　近位端を有する主ステムを含み、
B-1)　前記主ステムは、該主ステムと一体になっている該主ステムの周囲に配置される複数の隆起部及び溝を含み、
B-2)　該主ステムは少なくとも２つの隆起部を含んでおり、前記溝の少なくとも１つは前記少なくとも２つの隆起部の間に配置され、該２つの隆起部それぞれは直径を有し、該２つの隆起部のうちの一つの隆起部は他の一つの隆起部よりも大きな直径を有し、
B-3)　前記主ステムは、該主ステムの少なくとも一部を通じて空気及び／又は流体の通過を可能にするように構成される、前記近位端に配置されて前記主ステムの長手方向軸に沿って延びる第１の開口および該第１の開口を横切って配置される第２の開口と、
B-4)　前記複数の溝の少なくとも１つに設けられた少なくとも１つのオーバーモールドされたシールと、
B-5)　前記近位端に設けられたボタンキャップと、前記主ステムの周りに配置される保持リングと、該保持リングの周りに設けられたオーバーモールドされたブートと、
B-6)　該保持リングの内面に接触する弾力性部材と、
を備え、
C')　前記保持リングは、ダイヤフラムと、前記主ステムを受け入れる開口を備える、
A)　空気／水弁アセンブリ。」  
　また、両者は、以下の点で相違している。
＜相違点１＞
　主ステムが、本願発明は、一体型の部品であるのに対して、引用発明は、ピストン上部部材５７とピストン下部部材５８を接着等の手段によって接合され一体化されたものである点。 
＜相違点２＞ 
　保持リングに関して、本願発明は、主ステムを受け入れる開口の半径に沿う切抜きを備えるのに対して、引用発明は、そのような構成を有さない点。
  
第６　検討・判断
　上記各相違点について以下に検討する。 
 ＜相違点１について＞ 
　主ステムを、一体型の部品とするか、２つの部材で成形し、各部材を接合して一体化するかは、当該部品の細部の形状、モールド成形に用いられる金型の形状、生産性等を勘案し、当業者が適宜選択し得る程度の事項である。
　したがって、引用発明において、ピストン部材５６を一体型の部品とし、本願発明の上記相違点１に係る構成を成すことは、当業者が容易に想到し得ることである。
 ＜相違点２について＞ 
　本願発明の相違点２に係る構成は、平成２９年１２月８日になされた手続補正により限定された構成であり、同日付けの意見書において、請求人は、「さらに、本願明細書の段落００３６および図６の記載に基づき、『前記保持リングは、ダイヤフラムと、前記主ステムを受け入れる開口と、前記保持リングの開口の半径に沿う切抜きと、を備える』という事項を追加しました。」と主張している。
　そこで、本願明細書の段落【００３６】を参照すると、当該段落には、「（図４の）保持リング２３０は、図６に示すように、主ステム２２５の端部２７０を受け入れる開口２８５を有するダイヤフラム２８０を提供する。開口２８５は、三つの半円切抜き（２８１として示す）を有する大きな直径の円として成形されるが、他の好適に成形される開口２８５（例えば、四角形、三角形等）が使用されてもよいことが理解されるべきである。・・・（略）・・・」と記載されている。
　しかしながら、本願明細書には、上記の構成を採用した理由は何ら記載されておらず、上記意見書においても、「保持リングの切抜きに関しまして、参考図２に示します。」との記載が存在するのみで、上記の構成を採用したことの理由が何ら示されていない。
　そして、段落【００４１】を参照すると、ダイヤフラムは、ボタンキャップとの間に弾力性部材を保持するものであるから、弾力性部材と当接し、該弾力性部材を保持可能な形状であれば事足りるものであり、上記の構成を採用したことは、単なる設計的事項といわざるを得ず、また、本願明細書の記載、及び、上記意見書の記載を参酌しても、上記の構成を採用したことによる格別な作用効果は認められない。
＜本願発明の作用効果について＞
　本願発明の作用効果は、引用発明に基づいて当業者が予測し得る範囲内のものにすぎず、格別なものではない。 
  
　よって、本願発明は、引用発明に基づいて当業者が容易に発明をすることができたものである。 
第７　結語
　以上のとおり、本願発明は、引用発明に基づいて、当業者が容易に発明をすることができたものであるから、特許法第２９条第２項の規定により特許を受けることができないものであって、他の請求項に係る発明について検討するまでもなく本願は拒絶すべきものである。 
　よって、結論のとおり審決する。